(57)【要約】【課題】プラテンスキャン方式とＣＶＴ方式との両方に対応可能な画像読取装置において、装置の大型化や高コスト化等を招くことなく読み取りの高速化を実現する。【解決手段】カラー画像形成に要する時間がモノクロ画像形成に要する時間に比して時間を要する画像形成装置とともに用いられ複写機を構成する画像読取装置において、原稿の画像をモノクロ情報として読み取るように決定された場合に、原稿搬送手段２０によって搬送される速度が、モノクロ情報として読み取るように決定された場合の原稿搬送手段２０によって搬送される速度よりも遅い速度であって、かつ、複写機としての生産効率を損なうことのない速度になるように、その原稿搬送手段２０を制御する。【選択図】　　　　図１
2004064753.tif 000002
【特許請求の範囲】
【請求項１】
画像形成に際してカラーの画像形成に要する時間がモノクロの画像形成に要する時間に比して時間を要する画像形成装置とともに用いられ複写機を構成する画像読取装置であって、
点順次で原稿の画像をカラー情報として読み取ることができる読取手段と、
前記読取手段によって画像を読み取るときに、前記原稿を搬送させることによって前記読取手段と前記原稿の画像との相対位置を変化させる原稿搬送手段と、
前記原稿の画像を前記読取手段がカラー情報として読み取るのかモノクロ情報として読み取るのかを決定する決定手段と、
前記決定手段によってカラー情報として読み取るように決定された場合に、前記原稿搬送手段によって搬送される速度が、前記決定手段によってモノクロ情報として読み取るように決定された場合の前記原稿搬送手段によって搬送される速度よりも遅い速度であって、かつ、複写機としての生産効率を損なうことのない速度になるように前記原稿搬送手段を制御する制御手段と、
を有することを特徴とする画像読取装置。
【請求項２】
請求項１記載の画像読取装置において、
前記読取手段は、
カラー情報を読み取る第１の固体撮像素子と、
モノクロ情報を読み取る第２の固体撮像素子と、
を有することを特徴とする画像読取装置。
【請求項３】
請求項１または請求項２に記載の画像読取装置において、
前記原稿の画像をカラー情報として読み取るかモノクロ情報として読み取るかの指示を入力する入力手段を備え、
前記入力手段によって入力された指示に基づいて、前記決定手段はカラー情報として読み取るのかモノクロ情報として読み取るのかを決定する
ことを特徴とする画像読取装置。
【請求項４】
請求項１乃至３に記載の画像読取装置において、
前記画像形成装置は、シングルドラム方式の画像形成装置であって、
前記決定手段によってカラー情報として読み取るように決定された場合に、前記原稿搬送手段によって搬送される速度と、前記決定手段によってモノクロ情報として読み取るように決定された場合の前記原稿搬送手段によって搬送される速度との比は略１：４である
ことを特徴とする画像読取装置。
【請求項５】
請求項１乃至４に記載の画像読取装置において、
前記読取手段は、原稿の画像をカラー情報を読み取るための第１の固体撮像素子と、原稿の画像をモノクロ情報を読み取るための第２の固体撮像素子とを有し、
前記第１の固体撮像素子の画素当たりの感度は、前記第２の固体撮像素子の画素当たりの感度よりも低い
ことを特徴とする画像読取装置。
【発明の詳細な説明】
【０００１】
【発明の属する技術分野】
本発明は、例えば複写機において用いられ、シート状の原稿からこの原稿に描かれている画像を画像情報として読み取る画像読取装置に関するものである。
【０００２】
【従来の技術】
従来、画像読取装置としては、プラテンガラス上に載置された原稿から画像情報を読み取る、いわゆるプラテンスキャン方式のものが広く知られている。このプラテンスキャン方式の画像読取装置では、プラテンガラス上に原稿が載置されると、そのプラテンガラスに沿って移動可能なキャリッジにより、プラテンガラス上の原稿を走査し、その原稿に描かれている画像を、キャリッジに取り付けられたミラーを介してＣＣＤ（Ｃｈａｒｇｅ　Ｃｏｕｐｌｅｄ　Ｄｅｖｉｃｅ）リニアセンサで読み取るようになっている。ただし、これはＣＣＤ以外の、例えばＭＯＳ（Ｍｅｔａｌ　Ｏｘｉｄｅ　Ｓｅｍｉｃｏｎｄｕｃｔｏｒ）型のリニアセンサであっても構わない。
【０００３】
また、このようなプラテンスキャン方式に加えて、プラテンガラス上を移動する原稿から画像情報の流し読みを行う、いわゆるＣＶＴ（Ｃｏｎｓｔａｎｔ　Ｖｅｌｏｃｉｔｙ　Ｔｒａｎｓｆｅｒ）方式にも対応可能なものがある。このＣＶＴ方式で画像情報の流し読みを行う場合に、画像読取装置では、キャリッジを所定の位置に固定するとともに、自動原稿送り装置（ＡＤＦ；Ａｕｔｏｍａｔｉｃ　Ｄｏｃｕｍｅｎｔ　Ｆｅｅｄｅｒ）等を用いて読み取り対象となる原稿をプラテンガラス上で移動させることにより、その原稿に描かれている画像をＣＣＤセンサで読み取るようになっている。
【０００４】
このようなプラテンスキャン方式とＣＶＴ方式との両方に対応可能な画像読取装置では、通常、どちらの方式で画像情報の読み取りを行っても、その読み取り速度が同一である。すなわち、プラテンスキャン方式におけるキャリッジの移動速度（原稿の走査速度）と、ＣＶＴ方式における原稿の移動速度とは、共に同一になるように設定されている。
【０００５】
【発明が解決しようとする課題】
ところで、最近、画像読取装置に対しては、複写機等の処理能力向上のために、画像情報読み取りの高速化が要求されている。
しかしながら、プラテンスキャン方式における画像情報読み取りの高速化には、次に述べる理由により限界がある。それは、画像情報読み取りの高速化にはキャリッジの移動のトップスピードを速くしなければならないが、そのためにはキャリッジ停止位置（ホームポジション）から定速移動領域（走査領域）までの間に多くの距離が必要となり、さらにはキャリッジ駆動モータの大型化等が必要となるので、結果として画像読取装置の大型化や高コスト化等を招いてしまうためである。
【０００６】
つまり、プラテンスキャン方式における原稿の走査速度とＣＶＴ方式における原稿の移動速度とが同一に設定されていると、画像情報読み取りの高速化を実現しようとした場合に装置の大型化や高コスト化等を招いてしまい、またこれを防ごうとすると画像情報読み取りの高速化が実現できなくなってしまう。
【０００７】
また、近年では、カラー情報の読み取りとモノクロ情報の読み取りとの両方に対応可能な画像読取装置が一般的になっている。ところが、このようなカラー／モノクロ対応の画像読取装置では、通常、高速性が要求されるモノクロ情報の読み取りと、高階調性が要求されるカラー情報の読み取りとを、それぞれ同一の読み取り速度で行っているので、画像情報読み取りの高速化を実現しようとすると、原稿一枚あたりに費やすことのできる読み取り時間が短くなってしまい、特にカラー情報の読み取りにおいて、その読み取り結果の画質が悪くなってしまう可能性がある。
【０００８】
そこで、本発明は、プラテンスキャン方式とＣＶＴ方式との両方に対応可能で、かつ、カラー／モノクロ対応の画像読取装置において、プラテンスキャン方式とＣＶＴ方式とで役割分担を定めることにより、モノクロ情報を読み取る際の高速性とカラー情報を読み取る際の高階調性との両方を実現可能にする画像読取装置を提供することを目的とする。
【０００９】
【課題を解決するための手段】
本発明は、上記目的を達成するために案出された画像読取装置である。すなわち、画像形成に際してカラーの画像形成に要する時間がモノクロの画像形成に要する時間に比して時間を要する画像形成装置とともに用いられ複写機を構成する画像読取装置であって、点順次で原稿の画像をカラー情報として読み取ることができる読取手段と、前記読取手段によって画像を読み取るときに、前記原稿を搬送させることによって前記読取手段と前記原稿の画像との相対位置を変化させる原稿搬送手段と、前記原稿の画像を前記読取手段がカラー情報として読み取るのかモノクロ情報として読み取るのかを決定する決定手段と、前記決定手段によってカラー情報として読み取るように決定された場合に、前記原稿搬送手段によって搬送される速度が、前記決定手段によってモノクロ情報として読み取るように決定された場合の前記原稿搬送手段によって搬送される速度よりも遅い速度であって、かつ、複写機としての生産効率を損なうことのない速度になるように前記原稿搬送手段を制御する制御手段と、を有することを特徴とするものである。
【００１０】
上記構成の画像読取装置では、原稿の画像をカラー情報として読み取るように決定された場合に、モノクロ情報として読み取るように決定された場合よりも、原稿搬送手段による原稿搬送速度を遅くする。よって、原稿を搬送させることによって読取手段と原稿の画像との相対位置を変化させるときであっても、原稿の画像をカラー情報として読み取る場合には、モノクロ情報として読み取る場合に比べて多くの露光時間（露光量）が確保されることになる。
しかも、原稿の画像をカラー情報として読み取る場合の速度は、複写機としての生産効率を損なうことのない速度になるように制御される。すなわち、画像形成装置におけるカラーの画像形成に要する時間がモノクロの画像形成に要する時間に比して時間を要することから、その時間差に応じた速度差になるように制御される。したがって、カラー情報の読み取りがモノクロ情報に比べて多くの時間を費やしてしまっても、結果として複写機としての生産効率を損なうことはない。
【００１１】
【発明の実施の形態】
以下、図面に基づき本発明に係わる画像読取装置について説明する。ただし、ここでは、本発明を、カラー／モノクロ対応の複写機に搭載された画像読取装置に適用した場合を例に挙げて説明する。
【００１２】
〔第１の実施の形態〕
ここで、本発明の第１の実施の形態について説明する。
図１は、本実施の形態の画像読取装置１の概要を示す図であり、図２は、その画像読取装置１を搭載する複写機２の全体構成図である。
【００１３】
先ず、本実施の形態の画像読取装置１の説明に先立ち、この画像読取装置１が搭載される複写機２について説明する。
複写機２は、図２に示すように、画像読取装置１の他に、画像処理装置３と、画像形成装置４と、給排紙装置５とを備えているものである。
【００１４】
画像処理装置３は、いわゆるＩＰＳ（Ｉｍａｇｅ　Ｐｒｏｃｅｓｓｉｎｇ　Ｓｙｓｔｅｍ）と呼ばれるものであり、画像読取装置１が読み取った画像情報に対して、必要に応じた処理、例えば色補正や階調補正を行うものである。また、画像処理装置３では、画像読取装置１が読み取った画像情報を一時的に保持するために、ハードディスク装置や半導体メモリ等からなるイメージメモリ（ただし不図示）を有している。
【００１５】
画像形成装置４は、いわゆるＩＯＴ（Ｉｍａｇｅ　Ｏｕｔｐｕｔ　Ｔｅｒｍｉｎａｌ）と呼ばれるものであり、画像処理装置３によって処理された画像情報に基づいて、記録用紙等の媒体上に、可視画像を形成して出力するものである。ただし、画像形成装置４としては、図３に示すように、シングルドラム方式、タンデム方式、あるいはツインドラム方式等によるものがある。
【００１６】
シングルドラム方式は、最も一般的に用いられる方式であり、図３（ａ）に示すように、一つの感光体ドラム（潜像担持体）を有し、この感光体ドラム上に書き込まれた静電潜像を基に、媒体上への画像形成を行う方式である。
タンデム方式は、図３（ｂ）に示すように、感光体ドラムを始めとしたマーキングエンジンを複数個（通常は４個）並べて配置し、これらで並列に処理を行うことにより、カラー画像の形成時間の短縮を図るものである。このタンデム方式によれば、媒体上にＹ（イエロー），Ｍ（マゼンタ），Ｃ（シアン），Ｋ（クロ）の４色のトナー像を重ね合わせるカラー画像の場合であっても、モノクロ画像（単色トナー）の場合と同等の時間で画像形成を行うことができるようになる。
ツインドラム方式は、図３（ｃ）に示すように、並列配置された２つのマーキングエンジンが、それぞれ２色のトナー像についての画像形成を行うように構成されているもので、構成の複雑化を極力抑えつつ、カラー画像形成時の時間短縮を実現する方式である。
【００１７】
画像形成装置４は、これらの各方式のうち、いずれかの方式を実現する構成を有しているものとする。
【００１８】
また図２において、給排紙装置５は、画像出力前の媒体を収納する給紙カセットと、画像出力後の媒体を排出する排出トレイとを有するものであり、これら給紙カセット及び排出トレイと、画像形成装置４のトナー像転写部との間において、媒体の搬送を行うものである。ただし、給排紙装置５は、媒体の両面に画像を出力するための媒体反転機構を有しているものであってもよい。
【００１９】
次に、このような複写機２に搭載される画像読取装置１の概略構成について説明する。
画像読取装置１は、シート状の原稿から、この原稿に描かれている画像を画像情報として読み取るためのものであり、さらにはプラテンスキャン方式とＣＶＴ方式との両方に対応可能になっているものである。そのために、画像読取装置１は、図１（ａ）に示すように、スキャナー部１０と、ＣＶＴ原稿送り部２０と、これらの動作を制御するマイクロプロセッサ（ただし不図示）と、を備えている。
【００２０】
スキャナー部１０は、図４に示すように、プラテンガラスＰ上に載置された原稿の読み取り面を走査（スキャン）するフルレートキャリッジ１１と、フルレートキャリッジ１１の半分の速度で走査するハーフレートキャリッジ１２と、プラテンガラスＰ上の原稿を照射するランプ１３と、原稿からの反射光を集光させるレンズ１４と、集光した反射光を受けるＣＣＤセンサ１５と、ＣＣＤセンサ１５による光電変換により得られた信号を処理する画像処理回路（例えば、増幅器、Ａ／Ｄ変換器、シェーディング補正回路、ギャップ補正回路等）１６とを備えるものである。
【００２１】
これらのうち、フルレートキャリッジ１１とハーフレートキャリッジ１２とは、図示しないキャリッジ駆動モータにより駆動される。ただし、その駆動スピード、すなわちプラテンガラスＰ上の原稿に対する走査速度は、後述する値に設定されるものとする。
【００２２】
そして、プラテンガラスＰ上に原稿が載置されると、キャリッジ駆動モータの駆動により、フルレートキャリッジ１１およびハーフレートキャリッジ１２が、そのプラテンガラスＰ上の原稿を走査する。この走査の結果、ＣＣＤセンサ１５は、フルレートキャリッジ１１およびハーフレートキャリッジ１２に取り付けられたミラーを介して、プラテンガラスＰ上の原稿からの画像情報の読み取りを行う。
【００２３】
つまり、スキャナー部１０は、ＣＣＤセンサ１５とプラテンガラスＰ上の原稿に描かれた画像との相対位置を、その原稿を走査することによって変化させるものであり、プラテンスキャン方式による画像情報の読み取りを実現するためのものである。
【００２４】
また、このようなスキャナー部１０の上方には、ＣＶＴ原稿送り部２０が設置されている。
ＣＶＴ原稿送り部２０は、図５に示すように、読み取り対象となる原稿が積重される給紙トレイ２１と、読み取り済の原稿が排出される排紙トレイ２２と、給紙トレイ２１にセットされた原稿を順次繰り出して、スキャナー部１０のプラテンガラスＰ上の原稿複写位置Ａを一定速度で通過させながら搬送して排紙トレイ２２に排出する原稿搬送手段２３を備えているものである。
【００２５】
これらのうち、原稿搬送手段２３は、原稿の繰り出しあるいは搬送を行うために回転駆動される複数のローラ２３ａと、搬送される原稿をガイドするための搬送路２３ｂとを有している。ただし、原稿搬送手段２３では、複数のローラ２３ａの回転駆動スピード、すなわち原稿の搬送速度が、後述する値に設定されるものとする。
なお、原稿搬送手段２３は、原稿の両面から画像情報を読み取るための原稿反転機構を有しているものであってもよい。
【００２６】
このような構成のＣＶＴ原稿送り部２０では、スキャナー部１０のフルレートキャリッジ１１が所定の位置、すなわち原稿複写位置Ａに固定された状態で、その原稿複写位置Ａ上を、読み取り対象となる原稿に一定速度で通過させる。
つまり、ＣＶＴ原稿送り部２０は、ＣＣＤセンサ１５と原稿に描かれた画像との相対位置を、その原稿を搬送することによって変化させるものであり、ＣＶＴ方式による画像情報の読み取りを実現するためのものである。
【００２７】
なお、プラテンスキャン方式あるいはＣＶＴ方式により、原稿からの画像情報の読み取りを行うＣＣＤセンサ１５は、図６に示すように、Ｒ（赤），Ｇ（緑），Ｂ（青）の３色の感光画素列１５Ｒ，１５Ｇ，１５Ｂを線順次に並べ、１色当たり感光画素列の両側に２本の電荷転送部１７ａ〜１７ｆを配置して、並列駆動で高速性を確保したことを特徴とする、３ライン構成のものとなっている。また、このＣＣＤセンサ１５は、Ａ３サイズで４００ｓｐｉ（Ｓｃａｎ　Ｐｅｒ　Ｉｎｃｈ）の読み取り解像度を有しているものとする。
【００２８】
ここで、以上のような構成の画像読取装置１における動作例、詳しくはマイクロプロセッサによるスキャナー部１０およびＣＶＴ原稿送り部２０の動作制御例について、具体例を挙げて説明する。なお、以下に説明する動作制御例は、マイクロプロセッサでの所定プログラムの実行によって実現されるものとする。
【００２９】
マイクロプロセッサは、原稿搬送手段２３による原稿の搬送速度を、第１の速度として設定し、かつ、プラテンガラスＰ上の原稿に対する走査速度を、第２の速度として設定し、さらには第１の速度が第２の速度よりも速くなるように設定するようになっている。これらの設定は、例えば、画像読取装置１内の図示しないメモリ等に予め登録された値に従って、マイクロプロセッサが行うようにすればよい。ただし、これらの設定は、マイクロプロセッサがソフト的に行うのではなく、例えばキャリッジ駆動モータやローラ２３ａの駆動モータの定格、あるいはこれらに付随するギヤ機構におけるギヤ比の設定等により、ハード的に定めてもよい。
【００３０】
また、マイクロプロセッサでは、ＣＣＤセンサ１５が原稿の読み取りを行う際に、その原稿に描かれている画像を、カラー情報として読み取るかあるいはモノクロ情報として読み取るかを決定するとともに、モノクロ情報として読み取ると決定した場合にのみ、上述した設定、すなわち第１の速度を第２の速度よりも速くする設定が有効となるように、スキャナー部１０およびＣＶＴ原稿送り部２０を動作制御するようになっている。
【００３１】
ただし、原稿の画像をカラー情報として読み取るかモノクロ情報として読み取るかの決定は、例えば複写機２あるいはこれに接続する上位コンピュータに設けられたユーザインタフェース（Ｕ／Ｉ）部（例えば操作パネル）等で入力される指示に従って行われる。すなわち、マイクロプロセッサは、Ｕ／Ｉ部等からの指示に従って、上述した決定を行えばよい。
【００３２】
例えば図１（ｂ）に示すように、マイクロプロセッサは、ＣＶＴ方式による動作モード（以下、ＣＶＴモードと称す）時で、原稿の画像をモノクロ情報として読み取る場合には、原稿搬送手段２３による原稿の搬送速度である第１の速度を２４０ｍｍ／ｓとし、また、プラテンスキャン方式による動作モード（以下、プラテンモードと称す）時には、プラテンガラスＰ上の原稿に対する走査速度である第２の速度を６０ｍｍ／ｓとするようになっている。
【００３３】
これにより、この画像読取装置１では、ＣＶＴモード時で原稿の画像をモノクロ情報として読み取る場合に、原稿読み取り能力が４８ＤＰＭ（Ｄｏｃｕｍｅｎｔ　Ｐｅｒ　Ｍｉｎｕｔｅ）となり、そのときの１主走査ラインあたりの露光時間が０．２６５ｍｓｅｃ　となる。また、プラテンモード時には、カラー情報／モノクロ情報にかかわらず、原稿読み取り能力が１２ＳＰＭ（Ｓｃａｎ　Ｐｅｒ　Ｍｉｎｕｔｅ）となり、このときの１主走査ラインあたりの露光時間が１．０５８ｍｓｅｃ　となる。ただし、ＣＶＴモードとプラテンモードとにかかわらず、スキャナー部１０の画像処理回路１６に入力される画像信号のビデオレートは、２０ＭＨｚとなっている。
なお、ＤＰＭ、ＳＰＭは、共に、原稿が「Ａ４ヨコ送り」の場合、すなわち「Ａ４ＬＥＦ（Ｌｏｎｇ　Ｅｄｇｅ　Ｆｅｅｄ）」とも呼ばれ、最も生産性が高くなる置き方の場合における値によって定義される。
【００３４】
このように、本実施の形態の画像読取装置１では、ＣＶＴ原稿送り部２０がＣＣＤセンサ１５と原稿の画像との相対位置を変化させる第１の速度のほうが、スキャナー部１０がＣＣＤセンサ１５と原稿の画像との相対位置を変化させる第２の速度よりも大きく設定されている。
【００３５】
すなわち、この画像読取装置１では、原稿の画像をＣＶＴモードで読み取るかプラテンモードで読み取るかを決定し、ＣＶＴモードで読み取ると決定した場合に、ＣＶＴ原稿送り部２０の原稿搬送手段２３による原稿の搬送速度が、スキャナー部１０によるプラテンガラスＰ上の原稿に対する走査速度よりも速くするようになっている。なお、原稿の画像の読み取りをＣＶＴモードで行うかあるいはプラテンモードで行うかの切り換えは、例えばＵ／Ｉ部等からの指示に従って、マイクロプロセッサが行えばよい。
【００３６】
ＣＶＴモード時の原稿搬送速度を速くすることは、プラテンモード時の走査速度を速くするのに比べて、比較的容易に達成できる。これは、原稿搬送手段２３が有する複数のローラ２３ａの回転駆動スピードを上げれば、原稿搬送速度の高速化が実現でき、プラテンモード時の場合のようにホームポジションから走査領域までの間の助走距離や、いわゆるバックスキャンと呼ばれる次の原稿の読み取りを行うための高速逆方向走査（移動）や、高速化に伴うキャリッジ位置決め精度の悪化防止などを考慮する必要がないためである。
【００３７】
したがって、本実施の形態の画像読取装置１によれば、原稿の画像の読み取りを高速で行う場合には、ＣＶＴ原稿送り部２０を用いてＣＶＴモードで読み取りを行えばよい。これにより、画像読み取りの高速化を実現する場合であっても、スキャナー部１０による走査速度を向上させる必要がなくなるので、装置の大型化や高コスト化等を招いてしまうことがない。しかも、高速化が必要な場合にはＣＶＴモードで読み取りを行い、高速化よりも高画質が必要な場合には１主走査ラインあたりの露光時間の長いプラテンモードで読み取りを行う、といった使い分けができるようになるので、この画像読取装置１を使用するユーザにとっては便利なものとなる。
【００３８】
また、マイクロプロセッサは、ＣＶＴモード時において、原稿の画像をモノクロ情報として読み取る場合に、原稿の搬送速度を第１の速度（２４０ｍｍ／ｓ）とするが、これに対して原稿の画像をカラー情報として読み取る場合には原稿の搬送速度を６０ｍｍ／ｓとするようになっている。これにより、この画像読取装置１では、ＣＶＴモード時で原稿の画像をカラー情報として読み取る場合に、原稿読み取り能力が１２ＤＰＭとなる。
【００３９】
つまり、本実施の形態の画像読取装置１では、原稿の画像をＣＶＴモードでモノクロ情報として読み取る場合にのみ、原稿搬送速度を速くするようになっている。よって、ＣＶＴモード時であっても、原稿の画像をカラー情報として読み取る場合には、ランプ１３の照度を上げたり、低Ｆ値の明るいレンズ１４を採用したりすることなく、モノクロ情報として読み取る場合に比べて約４倍の露光時間（露光量）が確保されるので、高コスト化等を招くことなく画質の低下を防げるようになり、画質が重要視されるカラー画像の読み取りに好適なものとなる。
【００４０】
ただし、この場合には、カラー情報の読み取りにはモノクロ情報に比べて約４倍の時間を費やしてしまうこととなるが、例えば画像形成装置４がシングルドラム方式であれば、カラー画像の形成にモノクロ画像の約４倍の時間を要し、さらには画像処理装置３がイメージメモリを有することによって画像読取装置１での一度の読み取りで画像形成装置４でのカラー画像の形成に対応できるので、結果として複写機２としての生産効率を損なうことはない。
【００４１】
さらに、本実施の形態の画像読取装置１では、Ｕ／Ｉ部等からの指示に従って、マイクロプロセッサが原稿の画像をカラー情報として読み取るかモノクロ情報として読み取るかを決定するようになっている。これにより、ユーザによるＵ／Ｉ部等からの指示が可能になるので、ユーザにとっては使い勝手の良いものとなる。
【００４２】
〔第２の実施の形態〕
次に、本発明の第２の実施の形態について説明する。ただし、ここでは、上述した第１の実施の形態との相違点についてのみ説明する。
【００４３】
図７に示すように、本実施の形態の画像読取装置１ａは、３ライン構成のＣＣＤセンサ１５に加えて、モノクロ情報を読み取るためのＢ／Ｗ（Ｂｌａｃｋ／Ｗｈｉｔｅ）用ＣＣＤセンサ１５ａを有している。つまり、この画像読取装置１ａでは、３ライン構成のＣＣＤセンサ１５でカラー情報とモノクロ情報との両方を読み取るのではなく、３ライン構成のＣＣＤセンサ１５がカラー情報のみを読み取り、Ｂ／Ｗ用ＣＣＤセンサ１５ａがモノクロ情報を読み取るようになっている。
【００４４】
したがって、この画像読取装置１ａでは、３ライン構成のＣＣＤセンサ１５とＢ／Ｗ用ＣＣＤセンサ１５ａとで、ダイナミックレンジを個別に設定できるようになる。これにより、同一のセンサでカラー情報とモノクロ情報との両方を読み取る場合のように、カラー情報の読み取り時にセンサが飽和することのないように露光量を設定したため、モノクロ情報の読み取り時にはダイナミックレンジの１／４程度以下しか使えずに、結果としてＳ／Ｎ比が悪化するといったこと、を防ぐことができるようになる。
また、この画像読取装置１ａでは、３ライン構成のＣＣＤセンサ１５とＢ／Ｗ用ＣＣＤセンサ１５ａとで、ダイナミックレンジを個別に設定できるので、カラー情報とモノクロ情報とのそれぞれについて、高階調の読み取りを行うことができるようになる。
【００４５】
〔第３の実施の形態〕
次に、本発明の第３の実施の形態について説明する。ただし、ここでは、上述した第２の実施の形態との相違点についてのみ説明する。
【００４６】
図８に示すように、本実施の形態の画像読取装置１ｂでは、カラー情報を読み取るためのＣＣＤセンサ１５ｂが、３ライン構成ではなく、点順次ライン構成となっている。
【００４７】
点順次ライン構成のＣＣＤセンサ１５ｂは、図９に示すように、Ｒ，Ｇ，Ｂの各画素１５Ｒ，１５Ｇ，１５Ｂを主走査方向に点順次に繰り返して配列することによって１本の感光画素列を形成したものであり、３ライン構成の場合に問題となる副走査方向の色ずれ等を生じさせないことを特徴とするものである。
【００４８】
通常、ＣＶＴモードで原稿の搬送を行う場合には、プラテンモードでキャリッジを移動させて原稿の走査を行う場合に比べて、原稿読み取り時の速度変動や速度むらが大きくなってしまう。そのために、ＣＣＤセンサが３ライン構成であると、副走査方向の色ずれが問題になってしまう可能性がある。
これに対して、本実施の形態の画像読取装置１ｂでは、点順次ライン構成のＣＣＤセンサ１５ｂを用いているので、ＣＶＴモード時における原稿搬送速度の速度変動や速度むらが大きくなってしまっても、副走査方向の色ずれの発生を抑えることが可能になる。
【００４９】
つまり、本実施の形態の画像読取装置１ｂでは、装置の大型化や高コスト化等を招くことなく画像読み取りの高速化を実現しつつ、さらにはカラー情報を読み取る際の画質低下を防止できるようになる。
【００５０】
〔第４の実施の形態〕
次に、本発明の第４の実施の形態について説明する。ただし、ここでは、上述した第２の実施の形態との相違点についてのみ説明する。
【００５１】
図１０に示すように、本実施の形態の画像読取装置１ｃでは、３ライン構成のＣＣＤセンサ１５と、Ｂ／Ｗ用ＣＣＤセンサ１５ｃとの両方を有しており、さらには、３ライン構成のＣＣＤセンサ１５の読み取り解像度がＡ３サイズで４００ｓｐｉであり、Ｂ／Ｗ用ＣＣＤセンサ１５ｃの読み取り解像度がＡ３サイズで６００ｓｐｉとなっている。つまり、カラー情報を読み取る３ライン構成のＣＣＤセンサ１５と、モノクロ情報を読み取るＢ／Ｗ用ＣＣＤセンサ１５ｃとでは、原稿の読み取り解像度が異なっている。
【００５２】
通常、カラーとモノクロとの両方に対応している画像読取装置において、モノクロ情報として読み取るのはテキストや線図が殆どであるので、カラー情報として読み取るイメージに比べて、鮮明な読み取りが要求される。
したがって、本実施の形態の画像読取装置１ｃのように、３ライン構成のＣＣＤセンサ１５とＢ／Ｗ用ＣＣＤセンサ１５ｃとの読み取り解像度が異なり、しかもＢ／Ｗ用ＣＣＤセンサ１５ｃの読み取り解像度のほうが高くなっていれば、高解像度が要求されるテキストや線図の読み取りに好適なものとすることができるようになる。
【００５３】
〔第５の実施の形態〕
次に、本発明の第５の実施の形態について説明する。ただし、ここでは、上述したそれぞれの実施の形態との相違点についてのみ説明する。
【００５４】
図１１に示すように、本実施の形態の画像読取装置１ｄは、読み取り解像度が４００ｓｐｉである点順次ライン構成のＣＣＤセンサ１５ｂと、読み取り解像度が６００ｓｐｉであるＢ／Ｗ用ＣＣＤセンサ１５ｃとを有している。すなわち、１画素あたりの感度が異なる複数のＣＣＤセンサを有している。
【００５５】
さらに、この画像読取装置１ｄでは、原稿の画像を読み取る際に、マイクロプロセッサが、その読み取りを、点順次ライン構成のＣＣＤセンサ１５ｂとＢ／Ｗ用ＣＣＤセンサ１５ｃとのどちらで行うかを決定し、Ｂ／Ｗ用ＣＣＤセンサ１５ｃで行うと決定した場合に、第１の実施の形態において説明した設定、すなわち第１の速度を第２の速度よりも速くする設定が有効となるように、スキャナー部１０およびＣＶＴ原稿送り部２０を動作制御するようになっている。なお、どちらのＣＣＤセンサで読み取りを行うかの決定は、例えばＵ／Ｉ部等からの指示に従って行えばよい。
【００５６】
ただし、マイクロプロセッサでは、第１の速度と第２の速度との比を、点順次ライン構成のＣＣＤセンサ１５ｂとＢ／Ｗ用ＣＣＤセンサ１５ｃとの感度の比に応じて設定するようになっている。
【００５７】
その一例としては、マイクロプロセッサは、第１の速度と第２の速度との比を、Ｂ／Ｗ用ＣＣＤセンサ１５ｃで原稿の１主走査ライン画像を読み取った場合の出力と、点順次ライン構成のＣＣＤセンサ１５ｂで原稿の１主走査ライン画像を読み取った場合の出力とが、略等しくなる値にするようになっている。
【００５８】
これは、次に述べる理由によるためである。
通常、ＣＣＤセンサの感度はその光電変換効率と増幅器のゲインとの積となるので、露光量が同じであれば感度の高いＣＣＤセンサほど出力が大きくなる。よって、感度の異なるＢ／Ｗ用ＣＣＤセンサ１５ｃと点順次ライン構成のＣＣＤセンサ１５ｂとで、それぞれの出力を略等しくすれば、感度の高いＢ／Ｗ用ＣＣＤセンサ１５ｃで読み取りを行う場合の露光量が少なくてすみ、結果としてＢ／Ｗ用ＣＣＤセンサ１５ｃによる読み取りの高速化が実現できる。そのために、Ｂ／Ｗ用ＣＣＤセンサ１５ｃと点順次ライン構成のＣＣＤセンサ１５ｂとによる出力が略等しくなるようにする。
【００５９】
また、他の理由としては、それぞれの場合で出力を略等しくすれば、その後の画像処理回路１６での処理において、いずれか一方の場合のＳ／Ｎ比が悪化するといったを防ぐことができ、モノクロ／カラー共に高階調の読み取りが可能になるためである。
【００６０】
これらの理由により、本実施の形態の画像読取装置１ｄでは、Ｂ／Ｗ用ＣＣＤセンサ１５ｃの場合と点順次ライン構成のＣＣＤセンサ１５ｂの場合とで出力を略等しくし、それぞれの感度の比（６００ｓｐｉ：４００ｓｐｉ）に応じて、第１の速度（２４０ｍｍ／ｓ）と第２の速度（６０ｍｍ／ｓ）との比を設定している。
【００６１】
以上のように、本実施の形態の画像読取装置１ｄでは、感度の高いＢ／Ｗ用ＣＣＤセンサ１５ｃでモノクロ情報の読み取りを行う場合に、原稿の搬送速度を速くするようになっている。よって、この画像読取装置１ｄでは、高解像度が要求されるテキストや線図を鮮明に読み取ることができるとともに、装置の大型化や高コスト化を招くことなく画像読み取りの高速化を実現できるようになる。
【００６２】
また、本実施の形態の画像読取装置１ｄでは、第１の速度と第２の速度との比を、点順次ライン構成のＣＣＤセンサ１５ｂとＢ／Ｗ用ＣＣＤセンサ１５ｃとの感度の比、詳しくはそれぞれによる出力が略等しくなるように設定している。よって、この画像読取装置１ｄでは、Ｂ／Ｗ用ＣＣＤセンサ１５ｃによる読み取りの高速化及び高解像度化を実現するとともに、モノクロ／カラー共にＳ／Ｎ比の悪化防止等により高階調の読み取りを可能にしている。
【００６３】
以上に説明した第２〜第５の実施の形態では、Ｂ／Ｗ用ＣＣＤセンサ１５ａ，１５ｃと、３ライン構成のＣＣＤセンサ１５あるいは点順次ライン構成のＣＣＤセンサ１５ｂとの組み合わせについて、具体例を挙げて説明したが、これらの組み合わせ、および、そのときの第１、第２の速度の設定値は、画像形成装置４における出力方式を考慮して決定すればよい。
【００６４】
つまり、マイクロプロセッサは、画像形成装置４がカラー画像を形成する速度とモノクロ画像を形成する速度との比に応じて、第１の速度と第２の速度との比を設定してもよい。
【００６５】
ここで、原稿の読み取りと、画像形成装置４における出力方式との対応関係について説明する。
一般に、ＣＣＤセンサでは、その感度がセンサの画素面積によって定まる。そこで、上述した各ＣＣＤセンサの画素面積を求めると、図１２（ａ）に示すように、４００ｓｐｉのＢ／Ｗ用ＣＣＤセンサ１５ａが１６１μｍ２、４００ｓｐｉの点順次ライン構成のＣＣＤセンサ１５ｂが３７μｍ２、６００ｓｐｉのＢ／Ｗ用ＣＣＤセンサ１５ｃが６８μｍ２となる。これらの面積比率をそれぞれの感度比率とすると、図１２（ｂ）に示すように、Ｂ／Ｗ用ＣＣＤセンサ１５ａと点順次ライン構成のＣＣＤセンサ１５ｂとＢ／Ｗ用ＣＣＤセンサ１５ｃとでは、感度比率が１：０．２３：０．４２となる。
【００６６】
この感度比率から、図１３に示す分光感度特性例および図１４に示すシステム全体の分光特性の例に基づいて、それぞれにおけるセンサ出力比を求めると、４００ｓｐｉのＢ／Ｗ用ＣＣＤセンサ１５ａによる出力を１とした場合に、それぞれ（Ｒ，Ｇ，Ｂ毎）の出力比率は、図１５中の「センサ出力比」の項に示すようになる。
【００６７】
この「センサ出力比」から、モノクロ情報の出力と、カラー情報の中のＲ，Ｇ，Ｂのうちで出力が最大となるＧ出力との比を求めると、図１５中の「白黒：Ｇ出力比」の項に示すようになり、さらにその結果に対してＣＣＤセンサの感度を考慮すると、図１５中の「白黒：Ｇ生産比率」の項に示すようになる。
【００６８】
これに対して、画像形成装置４では、カラー画像を形成する速度とモノクロ画像を形成する速度との比が、以下のようになる。
例えば、シングルドラム方式であれば、カラー画像を形成する場合に、媒体上にＣ，Ｍ，Ｙ，Ｋの４色のトナー像を順に重ね合わせるので、モノクロ画像（単色トナー）の場合に比べて４倍の時間がかかり、その速度比は１：４となる。なお、Ｃ，Ｍ，Ｙの３色のトナー像に対応している場合には、その速度比が１：３となる。また、タンデム方式であれば、カラー画像、モノクロ画像共に同等の時間で画像形成を行うことができるので、その速度比は１：１となる。さらに、ツインドラム方式であれば、その速度比は１：２となる。
【００６９】
したがって、「白黒：Ｇ生産比率」が３：１になるように設定すれば（上述した第２の実施形態に相当、図７参照）、シングルドラム方式あるいはツインドラム方式の画像形成装置４における出力速度比１：４〜１：２との対応が好適となり、シングルドラム方式あるいはツインドラム方式の画像形成装置４と組み合わせた場合に、カラー／モノクロ画像共に高い生産性の複写機２を構築することができるようになる。なお、ここでいう生産性とは、画像形成装置４の生産性（ＣＰＭ；Ｃｏｐｙ　Ｐｅｒ　Ｍｉｎｕｔｅ）ではなく、原稿の一式を入力装置にセットし、順次読み取りながら１枚ずつコピーを採っていくジョブ、すなわち原稿一式のコピーを１部だけ作成するジョブでの生産性（ＤＰＭ；Ｄｏｃｕｍｅｎｔ　Ｐｅｒ　Ｍｉｎｕｔｅ）のことである。
【００７０】
また、「白黒：Ｇ生産比率」が１３：１になるように設定すれば（上述した第３の実施形態に相当、図８参照）、出力比が１０倍以上に広がってしまうので、モノクロ超高速読み取り用として用いるのに好適となる。
【００７１】
また、「白黒：Ｇ生産比率」が０．８：１になるように設定すれば（上述した第４の実施形態に相当、図１０参照）、タンデム方式の画像形成装置４における出力速度比１：１との対応が好適となり、タンデム方式の画像形成装置４と組み合わせた場合に、カラー／モノクロ画像共に高い生産性の複写機２を構築することができるようになる。
【００７２】
また、「白黒：Ｇ生産比率」が３．７：１になるように設定すれば（上述した第５の実施形態に相当、図１１参照）、シングルドラム方式の画像形成装置４における出力速度比１：４との対応が好適となり、シングルドラム方式の画像形成装置４と組み合わせた場合に、カラー／モノクロ画像共に高い生産性の複写機２を構築することができるようになる。
【００７３】
以上のように、画像形成装置４がカラー画像を形成する速度とモノクロ画像を形成する速度との比に応じて、第１の速度と第２の速度との比を設定するようにすれば、それぞれの方式の画像形成装置４毎に高い生産性が得られるようになるので、画像形成装置４と組み合わせて複写機２等を構築するのに好適なものとなる。
【００７４】
特に、４００ｓｐｉの点順次ライン構成のＣＣＤセンサ１５ｂと、６００ｓｐｉのＢ／Ｗ用ＣＣＤセンサ１５ｃとを有するとともに、Ｂ／Ｗ用ＣＣＤセンサ１５ｃで読み取りを行う際の第１の速度（２４０ｍｍ／ｓ）と、点順次ライン構成のＣＣＤセンサ１５ｂで読み取りを行う際の第２の速度（６０ｍｍ／ｓ）と比を、略４：１とすれば、「白黒：Ｇ生産比率」が３．７：１となり、最も一般的に用いられるシングルドラム方式の画像形成装置４と組み合わせて複写機２等を構築するのに非常に好適なものとなる。
【００７５】
〔第６の実施の形態〕
次に、本発明の第６の実施の形態について説明する。ただし、ここでは、上述したそれぞれの実施の形態との相違点についてのみ説明する。
【００７６】
本実施の形態の画像読取装置では、マイクロプロセッサが、ＣＶＴ原稿送り部２０の原稿搬送手段２３によって搬送された原稿の画像がカラーであるかモノクロであるかを認識するとともに、読み取るべき複数部原稿の１部目がモノクロ原稿であると認識した場合、２部目以降の原稿の読み取り時に、第１の実施の形態において説明した設定、すなわち第１の速度を第２の速度よりも速くする設定が有効となるように、スキャナー部１０およびＣＶＴ原稿送り部２０の動作制御を行うようになっている。
【００７７】
これを詳しく説明すると、マイクロプロセッサは、ＣＶＴモードによる原稿の読み取りを行うのにあたって、図１６に示すように、先ず、ＣＶＴ原稿送り部２０の給紙トレイ２１（原稿載置部）に原稿が載置されているか否かを判断する（ステップ１０１、以下ステップをＳと略す）。原稿が載置されていれば、続いて、マイクロプロセッサは、Ｕ／Ｉ部等に設けられた「読取開始ボタン」が押下されたか否かを判断する（Ｓ１０２）。
【００７８】
「読取開始ボタン」が押下されると、マイクロプロセッサは、ＣＶＴ原稿送り部２０の原稿搬送手段２３による原稿の搬送速度を第２の速度（低速度）に設定した後に（Ｓ１０３）、原稿搬送手段２３に１部目の原稿を第２の速度で搬送させ、その１部目の原稿をスキャナー部１０のＣＣＤセンサ１５に読み取らせる（Ｓ１０４）。
【００７９】
ここで、マイクロプロセッサは、読み取った１部目の原稿がカラー原稿であるかモノクロ原稿であるかを判断する（Ｓ１０５）。この判断は、例えば、ＣＣＤセンサ１５が読み取ったＲＧＢの信号を、色相、彩度、明度等を表すＬ＊ａ＊ｂ＊（エルスター，エースター，ビースター）信号に変換し、そのうちのａ＊ｂ＊信号から彩度を表すｃ＊（シースター）信号を演算し、その演算結果と所定のしきい値とを比較することによって行う。ただし、他の手法によって判断してもよい。
【００８０】
この判断の結果、１部目の原稿がカラー原稿であれば、マイクロプロセッサは、２部目以降の原稿を、原稿搬送手段２３に第２の速度で搬送させて、ＣＣＤセンサ１５による読み取りを行わせる（Ｓ１０６）。
一方、１部目の原稿がモノクロ原稿であれば、マイクロプロセッサは、原稿搬送手段２３による原稿の搬送速度を第１の速度（高速度）に設定し直した後に（Ｓ１０７）、原稿搬送手段２３に２部目以降の原稿を第１の速度で搬送させて、ＣＣＤセンサ１５による読み取りを行わせる（Ｓ１０８）。
【００８１】
このように、本実施の形態の画像読取装置では、マイクロプロセッサが、読み取るべき複数部原稿の１部目がモノクロ原稿であると認識した場合に、２部目以降の原稿の読み取り時に、原稿搬送手段２３による原稿の搬送速度を第１の速度（高速度）とするようになっている。よって、この画像読取装置を用いて複数部原稿についての読み取りを行えば、その複数部原稿がカラー原稿であるかモノクロ原稿であるかに応じて画像読み取りの速度が設定されるので、装置の大型化や高コスト化等を招くことなく画像読み取りの高速化を実現しつつ、自動的に読み取り対象となる原稿に応じた速度での読み取りが行われ、結果として汎用的な読み取りが可能になるとともに、ユーザにとっては非常に便利なものとなる。
【００８２】
〔第７の実施の形態〕
次に、本発明の第７の実施の形態について説明する。ただし、ここでは、上述したそれぞれの実施の形態との相違点についてのみ説明する。
【００８３】
一般に、カラー／モノクロ対応の画像読取装置では、読み取りの高速化を実現しようとすると、原稿一枚あたりに費やすことのできる読み取り時間が短くなるので、特にカラー情報の読み取りにおいて、その読み取り結果の画質が悪くなってしまう可能性がある。これを防ぐためには、照明の照度を上げたり、低Ｆ値の明るいレンズを採用したりして、短い読み取り時間内で必要十分な露光量を確保することも考えられるが、これは装置の大型化や高コスト化に繋がってしまう。
【００８４】
そこで、本実施の形態の画像読取装置１ｅでは、図１７に示すように、３ライン構成のＣＣＤセンサ１５を備え、ＣＣＤセンサ１５によりカラー情報とモノクロ情報との両方を読み取るとともに、マイクロプロセッサが、原稿の画像をモノクロ情報として読み取る場合に、ＣＶＴモード時の原稿搬送速度およびプラテンモード時の原稿走査速度を、それぞれ第１の速度（２４０ｍｍ／ｓ）とし、また原稿の画像をカラー情報として読み取る場合に、ＣＶＴモード時の原稿搬送速度およびプラテンモード時の原稿走査速度を、それぞれ第２の速度（６０ｍｍ／ｓ）とするようになっている。
【００８５】
つまり、この画像読取装置１ｅでは、原稿の画像をカラー情報として読み取るかモノクロ情報として読み取るかを決定し、モノクロ情報として読み取ると決定した場合に、原稿搬送速度あるいは原稿走査速度を、カラー情報として読み取る場合に比べて速くするようになっている。なお、原稿の画像をカラー情報として読み取るかモノクロ情報として読み取るかを決定は、マイクロプロセッサがＵ／Ｉ部等からの指示に従って行ったり、あるいは上述した第７の実施の形態の場合のようにマイクロプロセッサが認識した結果に基づいて行えばよい。
【００８６】
これにより、本実施の形態の画像読取装置１ｅによれば、原稿の画像をモノクロ情報として読み取る場合の高速化を実現しつつ、原稿の画像をカラー情報として読み取る場合にはモノクロ情報として読み取る場合に比べて約４倍の露光時間（露光量）が確保されるので、高コスト化等を招くことなく画質の低下を防げるようになる。つまり、ＣＶＴモードであるかプラテンモードであるかにかかわらず、モノクロ情報を読み取る際の高速性とカラー情報を読み取る際の高階調性との両方を実現できるようになる。
【００８７】
なお、本実施の形態では、ＣＶＴモードであるかプラテンモードであるかにかかわらず、モノクロ情報については第１の速度で読み取りを行い、カラー情報については第２の速度で読み取りを行う場合を例に挙げて説明したが、例えば既に第１の実施の形態で説明したように、ＣＶＴモード時のみモノクロ情報を第１の速度（高速度）で読み取るという設定を有効にするようにしてもよく、この場合であってもモノクロ情報を読み取る際の高速性とカラー情報を読み取る際の高階調性との両立が可能となる。
【００８８】
以上に説明した第１〜第７の実施の形態では、本発明を、カラー／モノクロ対応の複写機に搭載された画像読取装置およびその複写機で用いられる画像読取方法に適用した場合を例に挙げて説明したが、本発明は、これに限定されるものではない。例えば、ＬＡＮ（ローカルエリアネットワーク）等の通信回線を介してパーソナルコンピュータやプリンタ装置等に接続されるもの（例えばスキャナー装置）であっても、本発明は適用可能である。
【００８９】
また、第１〜第７の実施の形態では、第１の速度が２４０ｍｍ／ｓであり、第２の速度が６０ｍｍ／ｓである場合を例に挙げて説明したが、本発明はこれに限定されるものではなく、これらの速度は複写機２（システム）内の条件を鑑みて最適値に設定するようにすればよい。さらに、例では、主・副両方向の解像度（ｓｐｉ）が同じ場合について説明したが、主・副方向のｓｐｉ値は、同一でなくても構わない。
【００９０】
【発明の効果】
以上に説明したように、本発明の画像読取装置では、原稿を搬送させることによって読取手段と原稿の画像との相対位置を変化させるときであっても、原稿の画像をカラー情報として読み取る場合には、モノクロ情報として読み取る場合に比べて多くの露光時間（露光量）が確保され、しかも複写機としての生産効率を損なうこともない。したがって、モノクロ情報を読み取る際の高速性とカラー情報を読み取る際の高階調性との両方を実現できる。
【図面の簡単な説明】
【図１】本発明に係わる画像読取装置の第１の実施の形態の概要を示す図であり、（ａ）はその概略構成図、（ｂ）は動作仕様値の説明図である。
【図２】画像読取装置を搭載する複写機の概略構成図である。
【図３】画像読取装置と接続する画像形成装置の概要の説明図であり、（ａ）はシングルドラム方式を示す図、（ｂ）はタンデム方式を示す図、（ｃ）はツインドラム方式を示す図である。
【図４】スキャナー部の概略構成図である。
【図５】ＣＶＴ原稿送り部の概略構成図である。
【図６】３ライン構成のＣＣＤセンサの概略構成図である。
【図７】本発明に係わる画像読取装置の第２の実施の形態の概要を示す図であり、（ａ）はその概略構成図、（ｂ）は動作仕様値の説明図である。
【図８】本発明に係わる画像読取装置の第３の実施の形態の概要を示す図であり、（ａ）はその概略構成図、（ｂ）は動作仕様値の説明図である。
【図９】点順次ライン構成のＣＣＤセンサの概略構成図である。
【図１０】本発明に係わる画像読取装置の第４の実施の形態の概要を示す図であり、（ａ）はその概略構成図、（ｂ）は動作仕様値の説明図である。
【図１１】本発明に係わる画像読取装置の第５の実施の形態の概要を示す図であり、（ａ）はその概略構成図、（ｂ）は動作仕様値の説明図である。
【図１２】ＣＣＤセンサの感度の比較を示す説明図であり、（ａ）はＣＣＤセンサの画素面積を示す図、（ｂ）はＣＣＤセンサの感度比率を示す図である。
【図１３】カラーリニアイメージセンサの分光感度特性例を示す説明図である。
【図１４】画像読取装置のシステム全体の分光特性（システムレスポンス）の例を示す説明図である。
【図１５】カラー情報用とモノクロ情報用のＣＣＤセンサの組み合わせ、これらによるカラー情報とモノクロ情報の出力比、およびこれらに対応する画像形成装置におけるカラー画像とモノクロ画像の出力速度比を示す説明図である。
【図１６】本発明に係わる画像読取装置の第６の実施の形態における処理動作例を示すフローチャートである。
【図１７】本発明に係わる画像読取装置の第７の実施の形態の概要を示す図であり、（ａ）はその概略構成図、（ｂ）は動作仕様値の説明図である。
【符号の説明】
１，１ａ，１ｂ，１ｃ，１ｄ，１ｅ…画像読取装置、４…画像形成装置、１０…スキャナー部、１５，１５ａ，１５ｂ，１５ｃ…ＣＣＤセンサ、２０…ＣＶＴ原稿送り部、２３…原稿搬送手段
【図１】
2004064753.tif 000003
【図２】
2004064753.tif 000004
【図３】
2004064753.tif 000005
【図４】
2004064753.tif 000006
【図５】
2004064753.tif 000007
【図６】
2004064753.tif 000008
【図７】
2004064753.tif 000009
【図８】
2004064753.tif 000010
【図９】
2004064753.tif 000011
【図１０】
2004064753.tif 000012
【図１１】
2004064753.tif 000013
【図１２】
2004064753.tif 000014
【図１３】
2004064753.tif 000015
【図１４】
2004064753.tif 000016
【図１５】
2004064753.tif 000017
【図１６】
2004064753.tif 000018
【図１７】
2004064753.tif 000019